(57)【要約】【課題】美観性や清掃性を向上できるとともに、容易に組み立てることができる建具を提供すること。【解決手段】障子２は、上框、下框１２、および左右の竪框１３を框組みした框体と、框体の内側部分に取り付けられる面材２０とを備える。下框１２は、面材２０の下縁部を支持する下骨部３８と、下骨部３８の下側に一体的に形成された下框部３６とを備える。下骨部３８の浴室側面には、下框部３６の浴室側面よりも脱衣室側へ低くなるような段差部が形成されている。段差部には、接着剤により面材２０が接着され、面材２０の浴室側面と下框部３６の浴室側面とが略面一となる。【選択図】図４
2006241689.tif 000002
【特許請求の範囲】
【請求項１】
上框、下框、および左右の竪框を框組みした框体に面材を取り付けた障子を備える建具であって、
前記框体の一方側の面には、当該框体の面内側において他方側へ一段低くなるような段差部が設けられ、
前記面材の一方側の面と前記框体の少なくとも下框の一方側の面とが略面一となるように前記段差部に前記面材の他方側の面が接着剤により接着されていることを特徴とする建具。
【請求項２】
前記左右の竪框は、本体部、および、前記本体部の面内側に一体的に設けられた収受部を有する竪框材と、一方側の面が前記竪框材の一方側の面よりも他方側へ一段低くなるようにして前記収受部に収納される竪骨材とを備え、
前記竪骨材の一方側の面には、前記面材の他方側の面の左右縁部が前記接着剤により接着され、
前記収受部は、前記本体部から前記面材側へ突出する突出部を備え、前記突出部が前記面材の一方側の面の左右縁部を押さえることを特徴とする請求項１に記載の建具。
【請求項３】
前記下框は、前記面材の他方側の面の下縁部が前記接着剤により接着される下骨部と、前記下骨部の下側に一体的に形成された下框部とを備え、
前記下框部には、機能部品を取り付けるための切欠部が形成され、
前記切欠部には、当該下框部が一方側または他方側へ変形しないように拘束する拘束部材が取り付けられていることを特徴とする請求項１または２に記載の建具。
【発明の詳細な説明】
【技術分野】
【０００１】
本発明は、建具に関し、特に、美観性や清掃性を向上できるとともに、容易に組み立てることができる建具に関する。
【背景技術】
【０００２】
従来、建具を構成する障子としては、上框、下框、および左右の竪框を有する框体と、この框体内に組み込まれるガラスや樹脂製の面材とを備えるものが利用されている。例えば、特許文献１の図７などに示すように、従来の障子は、ガラス等の面材の周縁にガスケットを取り付けて、このガスケットが取り付けられた周縁部分を框体で挟み込むように組み立てることにより構成される。このため、框体の表面と面材の表面との間には、段差が形成されることになる。
【特許文献１】特開平１０−２２０１２１号公報
【発明の開示】
【発明が解決しようとする課題】
【０００３】
このように従来の障子では、框体の表面と面材の表面との間に段差が形成されるため、例えば、建具を浴室に設けた場合には、浴室からの水が面材に降りかかると、下框の上面と面材の表面との段差部分に水が溜まって、かびや汚れ等が生じて美観性に劣る可能性がある。このため、適宜、清掃を行う必要があるが、このように段差が形成されているため、完全には清掃しきれないという問題がある。また、前述したように、障子を組み立てる際には、面材の周縁にガスケットを取り付けた後、このガスケットを覆うようにして框体を取り付けるのが一般的であるが、ガスケットを設けることなく簡単に組み立て可能な建具が望まれている。
【０００４】
本発明の目的は、美観性や清掃性を向上できるとともに、容易に組み立てることができる建具を提供することにある。
【課題を解決するための手段】
【０００５】
本発明は、上框、下框、および左右の竪框を框組みした框体に面材を取り付けた障子を備える建具であって、前記框体の一方側の面には、当該框体の面内側において他方側へ一段低くなるような段差部が設けられ、前記面材の一方側の面と前記框体の少なくとも下框の一方側の面とが略面一となるように前記段差部に前記面材の他方側の面が接着剤により接着されていることを特徴とする。
【０００６】
本発明によれば、下框の一方側の面と面材の一方側の面とが略面一となるように構成したので、面材の一方側の面に水が掛かったとしても、面材を伝って流れ落ちる水は、そのまま下框の一方側の面を伝って床側へと流れていく。この際、面材と下框との間に段差がないから、面材と下框との間に水が溜まることがなく、カビや汚れ等の発生を抑えることができ美観が良くなる。また、このように段差がないため、障子の清掃を簡単に行うことができる。さらに、段差がないことにより、障子の外観がすっきりとし意匠性が向上する。
【０００７】
また、このような構成によれば、例えば、面内側に設けられた段差部に接着剤により面材を貼付するだけで障子を組み立てることができるため、従来のように、ガスケットを取り付ける作業が必要ないから、障子の組み立てが簡単になる。
【０００８】
ここで、前記左右の竪框は、本体部、および、前記本体部の面内側に一体的に設けられた収受部を有する竪框材と、一方側の面が前記竪框材の一方側の面よりも他方側へ一段低くなるようにして前記収受部に収納される竪骨材とを備え、前記竪骨材の一方側の面には、前記面材の他方側の面の左右縁部が前記接着剤により接着され、前記収受部は、前記本体部から前記面材側へ突出する突出部を備え、前記突出部が前記面材の一方側の面の左右縁部を押さえることとしてもよい。このような構成によれば、竪框材の収受部が竪骨材を収容し、この際、竪框材の突出部が面材の左右縁部を他方側へ押さえることにより、竪框から面材が外れたり、面材の左右側の端部が露出したりすることを防止できる。
【０００９】
また、前記下框は、前記面材の他方側の面の下縁部が前記接着剤により接着される下骨部と、前記下骨部の下側に一体的に形成された下框部とを備え、前記下框部には、機能部品を取り付けるための切欠部が形成され、前記切欠部には、当該下框部が一方側または他方側へ変形しないように拘束する拘束部材が取り付けられていてもよい。このような構成によれば、下框部に機能部品を取り付けたとしても、拘束部材によって下框部が一方側または他方側へ開くように変形することを確実に防止できる。なお、機能部品としては、例えば、戸車等を挙げることができる。
【発明の効果】
【００１０】
本発明の建具によれば、美観性や清掃性を向上できるとともに、容易に組み立てることができるという効果がある。
【発明を実施するための最良の形態】
【００１１】
以下、本発明の実施形態に係る建具について図面を参照して説明する。
図１は、本実施形態に係る建具１を構成する障子２を分解して浴室側から見た斜視図である。図２は、障子２を組み立てた状態を浴室側から見た斜視図である。図１，図２に示すように、建具１は、枠体（図示略）と、この枠体に対して開閉自在に取り付けられ、例えば引戸として構成された障子２とを備えている。本実施形態では、建具１は、浴室と脱衣室との間の開口部に設けられている。なお、図１，図２中の紙面の奥側が脱衣室となり、紙面の手前側が浴室となる。
【００１２】
図１に示すように、障子２は、上框１１、下框１２、および左右の竪框１３を框組みした框体１０を備え、框体１０には、例えばガラスや樹脂等かなる面材２０が取り付けられている。上框１１は、面材２０の上縁部を支持する上骨材３２と、上骨材３２を収容するように上骨材３２の上側に取り付けられる上框材３４とを備えている。このような上框１１では、上骨材３２の浴室側面（一方側の面）が上框材３４の浴室側面よりも脱衣室側（他方側）へ低くなっており、上骨材３２と上框材３４との間に段差部が設けられている。
【００１３】
また、下框１２は、面材２０の下縁部を支持する下骨部３８（後述する図４参照）と、前記下骨部の下側に一体的に形成された下框部３６とを備えている。このような下框１２では、前記下骨部の浴室側面が下框部３６の浴室側面よりも脱衣室側へと低くなっており、前記下骨部と下框部３６との間に段差部が設けられている。
【００１４】
左右の竪框１３は、面材２０の左右側の端縁をそれぞれ支持する左右の竪骨材４２と、左右の竪骨材４２をそれぞれ収容するように左右側にそれぞれ取り付けられる左右の竪框材４４とを備えている。このような竪框１３では、竪骨材４２の浴室側面が竪框材４４の浴室側面よりも脱衣室側へ低くなっており、竪骨材４２と竪框材４４との間に段差部が設けられている。
【００１５】
上骨材３２と、下骨部３８と、左右の竪骨材４２とは、互いにビス止め固定されて枠状に構成されている。このように枠状に構成された各骨材３２，４２および下骨部３８の浴室側面に形成された段差部には面材２０が取り付けられている。また、上框材３４と、下框部３６と、左右の竪框材４４とが枠状に接合されている。また、図２に示すように、竪框１３を構成する竪框材４４の上部および下部には、障子２の摺動を円滑にするための摺動片５０，５２がそれぞれ取り付けられている。
【００１６】
図３は、竪骨材４２、竪框材４４、および面材２０との接合部分を拡大して示す横断面図である。図３に示すように、竪骨材４２の浴室側面には、接着剤４０により面材２０が接着されている。面材２０が接着された竪骨材４２には、当該竪骨材４２の少なくとも一部を収容する竪框材４４が外側に取り付けられている。また、図２に示すように、面材２０の浴室側面と下框１２の下框部３６の浴室側面とが略面一となるように構成されている。
【００１７】
図３に示すように、竪骨材４２は、断面矩形の中空状に形成され、その浴室側面には、接着剤４０を塗布するための凹部４２Ａが形成されている。竪框材４４は、例えば断面Ｔ字状に形成された中空状の本体部４５と、本体部４５の面内側に一体的に形成された収受部４６とを備えている。収受部４６は、本体部４５の浴室側面から面材２０側へ突出する突出部としての突出片４６Ａと、本体部４５の脱衣室側面から面材２０側へ突出し、竪骨材４２を収納するように竪骨材４２の脱衣室側面を支持する収受片４６Ｂとを備えている。本体部４５は、摺動片やハンドル、錠などの機能部品を取り付ける装飾用の框として機能する。
【００１８】
突出片４６Ａは、面材２０の端部（例えば幅３ｍｍ程度）を脱衣室側へ押さえて、面材２０の熱伸縮や外力等により、面材２０が竪框材４４から外れないようにする機能を有している。また、突出片４６Ａは、例えば、厚みが１ｍｍ程度と薄く形成されており、面材２０と突出片４６Ａとの間には極わずかな段差しか生じない。また、収受片４６Ｂは、脱衣室側から竪骨材４２が見えないように、竪骨材４２をすっぽり収容する幅寸法で形成され、その幅寸法は、突出片４６Ａの幅寸法よりも大きい。
【００１９】
図４は、竪框材４４と下框１２との連結部分を拡大して示す分解斜視図である。図５は、図４に示す各部材を組み立てた状態を示す斜視図である。図４に示すように、下框１２は、下框部３６と、下骨部３８とが一体的に構成されている。下框部３６の下側には、戸車（図示略）を取り付けるための切欠部３６Ａが形成されている。
【００２０】
また、切欠部３６Ａに前記戸車を取り付けた際、前記戸車の厚みによって下框部３６が厚さ方向に拡がってしまうことを防止するために、下框部３６には、拘束部材３９が取り付けられている。拘束部材３９は、基部３９Ａと、基部３９Ａの両端部からそれぞれ突出し、下框部３６内へ挿入される挿入部３９Ｂとを備え、断面コ字状に形成されている。図示を省略するが、障子２を組み立てた際には、拘束部材３９の基部３９Ａが本体部４５に係合するようになっている。このため、竪框材４４に対する下框部３６の位置が固定された状態となり、竪框材４４と下框部３６との組み立て作業が簡単になる。また、基部３９Ａは、竪框材４４内に収容されるため、外部に露出することが防止されている。
【００２１】
下骨部３８は、竪骨材４２と連結される部分である。下骨部３８の浴室側面には、脱衣室側へ低くなるような凹部３８Ａが形成されている。凹部３８Ａには、前記接着剤が塗布され、この接着剤により面材２０が接着される。なお、図示を省略するが、上骨材３２にも、前記接着剤を塗布する凹部が形成され、この接着剤により面材２０が接着される。
【００２２】
このような障子２は、以下のようにして組み立てられる。まず、図１に示すように、上骨材３２と、左右の竪骨材４２、下框１２の下骨部３８とをビス止め固定して枠状に形成する。次に、枠状に形成した骨材３２，４２および下骨部３８の各凹部３８Ａ，４２Ａに接着剤４０を塗布し、その上から面材２０を貼付してパネル体を形成する。
【００２３】
次に、上骨材３２を覆うようにして上框材３４を取り付けるとともに、下框１２の下框部３６に戸車等の機能部品や拘束部材３９を取り付ける。この状態で、前記パネル体の左右側の端部に、竪骨材４２を覆うようにして竪框材４４をビス止め固定する。最後に、竪框材４４に、摺動片５０，５２やハンドル等の機能部品を取り付けて、図２に示すような障子２を組み立てる。
【００２４】
このような障子２は、図２に示すように、下框部３６の浴室側面と面材２０の浴室側面とが略面一となっている。このため、面材２０の浴室側面にシャワー等の水が掛かったとしても、面材２０の浴室側面を伝って流れ落ちる水は、そのまま下框部３６の表面を伝って浴室の床面へと流れていく。この際、面材２０と下框部３６との間に段差がないから、面材２０と下框部３６との間に水が溜まることがなく、カビや汚れ等の発生を抑えることができる。また、このように段差がないため、障子２を簡単に清掃できる。
【００２５】
本実施形態によれば、以下のような効果がある。
(１)下框部３６の浴室側面と面材２０の浴室側面とを略面一となるように構成したので、下框部３６と面材２０との接合部分に水が溜まることがなく、カビや水垢等の汚れの発生を防止できる。また、このように略面一であるため、仮に、汚れが発生したとしても簡単に清掃できる。従って、障子２の美観を向上できる。
【００２６】
(２)前述したように、下框部３６および各框材３４，４４の浴室側面と面材２０の浴室側面とが略面一またはわずかな段差程度しかないため、従来の障子に比べて、障子２の外観がすっきりとして意匠性が向上する。
【００２７】
(３)枠状に形成した骨材に接着剤４０を塗布してから面材２０を貼付し、各下框材３４，４４を取り付けるだけで障子２を組み立てることができるため、従来のように、ガスケットを取り付ける必要がないから、障子２を簡単に組み立てることができる。
【００２８】
(４)下框１２の下框部３６の切欠部３６Ａに拘束部材３９を取り付けたので、戸車等を取り付けることによって下框部３６が厚み方向へ開くことを確実に防止できる。
【００２９】
(５)面材２０の脱衣室側面には、骨材３２，４２および下骨部３８の厚み寸法に対応する分だけ空間があるため、この空間内に格子材等を配置して、障子２の剛性やデザインのバリエーションを高めることができ、また、この空間にブラインド等を配置して意匠性を高めることもできる。
【００３０】
(６)面材２０の左右側の端部を竪框材４４の突出片４６Ａでわずかに押さえる構成としたので、竪框材４４から面材２０が外れたり、面材２０の左右側の端部が露出したりすることを防止できる。
【００３１】
なお、本発明は、前記実施形態には限定されない。例えば、前記実施形態では、本発明の建具を浴室と脱衣室との間に取り付けたが、例えば、シャワー室やプールと脱衣室の間や、トイレの入口部分、屋内外の入口部分等に取り付けてもよい。要するに、本発明の建具が、隣り合う２つの空間の間に取り付けられればよい。また、前記実施形態では、障子２を引戸として構成したが、これに限らず、例えば、折戸や開戸等として構成してもよい。
【００３２】
また、前記実施形態では、戸先側の竪框材４４を対象として説明したが、戸先側の框に限らず、召合せ框についても同様の構成を適用でき、竪框材４４の形状は上記形状には限定されない。また、前記実施形態では、竪框材４４に、摺動片等の機能部品を取り付けたが、これ以外にも、例えばハンドルや錠等の機能部品を取り付けてもよいし、このような機能部品を取り付けなくてもよい。
【００３３】
また、前記実施形態では、障子２の浴室側面についてのみ、面材２０と下框部３６とが略面一となるように構成したが、浴室側面に加えて脱衣室側面も略面一となるように構成してもよい。この場合には、各骨材や下骨部の脱衣室側面の構成を、浴室側面の構成と同様にすることにより実施でき、意匠性の向上等を図ることができる。
【００３４】
また、前記実施形態では、各骨材３２，４２および下骨部３８をビス止め固定して枠状に形成してから、接着剤４０により面材２０を取り付ける構成としたが、接着剤４０の接着力を十分に確保できる場合には、各骨材３２，４２や下骨部３８を互いにビス止め固定することなく、面材２０を介して各骨材３２，４２や下骨部３８同士を連結するようにしてもよい。この場合には、ビス止め固定のための部材点数の減少や、組み立て作業性の向上を図ることができる。
【００３５】
また、突出片４６Ａで面材２０の左右側の端部をわずかに覆うことにより、面材２０の端部を竪骨材４２側へ押さえ付ける構成としたが、例えば、突出片４６Ａの先端と面材２０の端部とを当接させたり離間させたりする構成として、面材２０の端部を覆わない構成としてもよい。
【図面の簡単な説明】
【００３６】
【図１】本発明の実施形態に係る建具の障子を分解して正面から見た斜視図である。
【図２】障子を組み立てた状態を浴室側から見た斜視図である。
【図３】竪骨材、竪框材、および面材との接合部分を拡大して示す横断面図である。
【図４】竪框材と下框との連結部分を拡大して示す分解斜視図である。
【図５】図４に示す各部材を組み立てた状態を示す斜視図である。
【符号の説明】
【００３７】
１    建具
２    障子
１０  框体
１１  上框
１２  下框
１３  左右の竪框
２０  面材
３２  上骨材
３４  上框材
３６  下框部
３６Ａ      切欠部
３８  下骨部
３８Ａ，４２Ａ    凹部
３９  拘束部材
４０  接着剤
４２  竪骨材
４４  竪框材
４５  本体部
４６  収受部
４６Ａ       突出片
４６Ｂ 収受片
５０，５２  摺動片
【図１】
2006241689.tif 000003
【図２】
2006241689.tif 000004
【図３】
2006241689.tif 000005
【図４】
2006241689.tif 000006
【図５】
2006241689.tif 000007